(57)【要約】【課題】毛髪のスタイリングにより適した拡散モードの形状を有するヘアドライヤの吹き出しノズルおよびヘアドライヤを提供する。【解決手段】ヘアドライヤ１は、本体部１０と、吹き出しノズル３０とを備えている。吹き出しノズル３０は、内部に送風路を有する内筒部３１と、内筒部３１の外周を覆うように設けられた外筒部３２とを備えている。外筒部３２は、送風路の内径を部分的に拡張させる張り出し部５１ａおよび張り出し部５１ｂを有している。吹き出しノズル３０において、内筒部３１の先端部と、外筒部３２の先端部とは、前後方向（Ｚ１−Ｚ２方向）において略同じ位置にある。また、吹き出しノズル３０は、内筒部３１および外筒部３２の少なくとも何れかを回転させて、送風路の形状を第１の形状（拡散モード）と第２の形状（収束モード）との間で変更可能に構成されている。【選択図】図１
2019126412.tif 000002
【特許請求の範囲】
【請求項１】
ヘアドライヤの吹き出しノズルであって、
内部に送風路を有する内筒部と、
前記内筒部の外周を覆うように設けられた外筒部と
を備え、
前記外筒部は、前記送風路の内径を部分的に拡張させる張り出し部を有し、
前記内筒部の先端部と、前記外筒部の先端部とが、前後方向において略同じ位置にあり、
前記内筒部および前記外筒部の少なくとも何れかを回転させて、前記送風路の形状を、前記張り出し部が幅方向に位置する第１の形状と、前記張り出し部が上下方向に位置する第２の形状との間で変更可能に構成されている、
吹き出しノズル。
【請求項２】
前記内筒部は、互いに対向する位置に少なくとも２つの切り欠きを有しており、
前記送風路の形状が前記第１の形状のときに、前記切り欠きは前記張り出し部に対応する位置に配置され、前記内筒部の内側表面と前記張り出し部の内側表面とが、互いに略面一となっている、請求項１に記載の吹き出しノズル。
【請求項３】
前記送風路の形状が前記第２の形状のときに、前記張り出し部から風が吹き出さないように構成されている、請求項１または２に記載の吹き出しノズル。
【請求項４】
前記内筒部に、内部を通過する風を整流する整流部材が設けられている、
請求項１から３の何れか１項に記載の吹き出しノズル。
【請求項５】
ヘアドライヤの吹き出しノズルであって、
内部に送風路を有する内筒部と、
前記内筒部の外周を覆うように設けられた外筒部と
を備え、
前記外筒部は、前記送風路の内径を部分的に拡張させる張り出し部を有し、
前記内筒部および前記外筒部の少なくとも何れかを回転させて、前記送風路の形状を、前記張り出し部が幅方向に位置する第１の形状と、前記張り出し部が上下方向に位置する第２の形状との間で変更可能に構成され、
前記送風路の形状が前記第１の形状のときに、前記内筒部の内側表面と前記張り出し部の内側表面とが、互いに略面一となっている、
吹き出しノズル。
【請求項６】
請求項１から５の何れか１項に記載の吹き出しノズルを備えているヘアドライヤ。
【請求項７】
前記内筒部は、前記ヘアドライヤの吹き出し口に対して固定されている、請求項６に記載のヘアドライヤ。
【請求項８】
前記送風路の形状が前記第１の形状であるか、前記第２の形状であるかを検知する検知部と、
前記検知部による検知結果を表示する表示部と
をさらに備えている、請求項６または７に記載のヘアドライヤ。
【発明の詳細な説明】
【技術分野】
【０００１】
本発明は、ヘアドライヤの吹き出しノズル、およびヘアドライヤに関する。
【背景技術】
【０００２】
ヘアドライヤは、一端の吸気口から吸入した空気を加温して他端の排気口から排出することにより、温風を放出する。使用者は、ヘアドライヤからの温風を毛髪に当てることにより、毛髪を乾燥させる。
【０００３】
また、ヘアドライヤの中には、吹き出し口に吹き出しノズルを取り付けて使用可能なものもある。吹き出しノズルは、種々の形状を有しており、その形状によって、ヘアドライヤから外部へ送出される風を収束したり、拡散したりすることができる。
【０００４】
例えば、特許文献１には、内側ノズル２１と外側ノズル２２とで２重筒状に構成された吹出ノズル１１が装着されたヘアードライヤーが開示されている。この吹出ノズル１１では、内側ノズル２１および外側ノズル２２の前側のノズル開口のそれぞれに、複数の山形の収束片２４・３２が周回状に形成されている。また、内側ノズル２１と外側ノズル２２とは、相対回転可能に構成されている。そして、内側ノズル２１と外側ノズル２２とを相対回転操作して、吹出ノズル１１の形態を、拡散姿勢と収束姿勢とに切り換えることができる。拡散姿勢においては、内側ノズル２１の収束片２４と外側ノズル２２の収束片３２とが内外に重なる。収束姿勢においては、内側ノズル２１の収束片２４と外側ノズル２２の収束片３２とが周方向へ隣接する。
【先行技術文献】
【特許文献】
【０００５】
【特許文献１】特開２０１１−１９６３１号公報
【発明の概要】
【発明が解決しようとする課題】
【０００６】
ところで、ヘアドライヤを使用して毛髪を乾燥させる場合には、吹き出し口の開口面積が狭くなる収束姿勢（収束モード）の方が、吹き出し口の開口面積が大きくなる拡散姿勢（拡散モード）と比較して風速が速くなる。そのため、一般的に、収束モードは、濡れた髪を短時間で乾燥させるときに好適に選択され、拡散モードは、毛髪をスタイリングしたりセットしたりするときに好適に選択される。
【０００７】
毛髪をスタイリングなどするときに選択される拡散モードでは、毛髪の伸長方向（上下方向）に垂直な方向（水平方向）に広がった風を送ることが望ましい。しかしながら、特許文献１の吹出ノズル１１では、拡散姿勢において吹き出し口の面積を拡張させてはいるが、吹き出し口を横方向（水平方向）に拡大させることはしていない。
【０００８】
そこで、本発明では、毛髪のスタイリングにより適した拡散モードの形状を有するヘアドライヤの吹き出しノズルおよびヘアドライヤを提供する。
【課題を解決するための手段】
【０００９】
本発明の一局面にかかる吹き出しノズルは、ヘアドライヤの吹き出しノズルに関する。この吹き出しノズルは、内部に送風路を有する内筒部と、前記内筒部の外周を覆うように設けられた外筒部とを備えている。前記外筒部は、前記送風路の内径を部分的に拡張させる張り出し部を有している。前記吹き出しノズルでは、前記内筒部の先端部と、前記外筒部の先端部とが、前後方向において略同じ位置にある。また、前記吹き出しノズルは、前記内筒部および前記外筒部の少なくとも何れかを回転させて、前記送風路の形状を、前記張り出し部が幅方向に位置する第１の形状と、前記張り出し部が上下方向に位置する第２の形状との間で変更可能に構成されている。
【００１０】
また、本発明のもう一つの局面にかかる吹き出しノズルは、ヘアドライヤの吹き出しノズルであって、内部に送風路を有する内筒部と、前記内筒部の外周を覆うように設けられた外筒部とを備えている。前記外筒部は、前記送風路の内径を部分的に拡張させる張り出し部を有している。前記吹き出しノズルは、前記内筒部および前記外筒部の少なくとも何れかを回転させて、前記送風路の形状を、前記張り出し部が幅方向に位置する第１の形状と、前記張り出し部が上下方向に位置する第２の形状との間で変更可能に構成されている前記吹き出しノズルでは、前記送風路の形状が前記第１の形状のときに、前記内筒部の内側表面と前記張り出し部の内側表面とが、互いに略面一となっている。
【００１１】
また、本発明のさらなる局面にかかるヘアドライヤは、本発明の何れかの局面にかかる吹き出しノズルを備えている。
【発明の効果】
【００１２】
本発明の一局面にかかる吹き出しノズルをヘアドライヤに取り付けることで、毛髪のスタイリングにより適した拡散モードの形状を有するヘアドライヤが得られる。
【図面の簡単な説明】
【００１３】
【図１】本発明の一実施形態にかかるヘアドライヤの外観構成を示す斜視図である。この図は、ヘアドライヤが拡散モードのときの状態を示す。
【図２】本発明の一実施形態にかかるヘアドライヤの外観構成を示す斜視図である。この図は、ヘアドライヤが収束モードのときの状態を示す。
【図３】図１に示すヘアドライヤを構成する吹き出しノズルの外観構成を示す斜視図である。
【図４】図３に示す吹き出しノズルの幅方向（Ｘ１−Ｘ２方向）の断面構成を示す断面図である。
【図５】図２に示すヘアドライヤを構成する吹き出しノズルの外観構成を示す斜視図である。
【図６】図５に示す吹き出しノズルの上下方向（Ｙ１−Ｙ２方向）の断面構成を示す断面図である。
【図７】図３に示す吹き出しノズルの内筒部の外観構成を示す斜視図である。
【図８】本発明の一実施形態にかかるヘアドライヤが拡散モードのときの吹き出し口の概略形状を示す正面図である。
【図９】本発明の一実施形態にかかるヘアドライヤが収束モードのときの吹き出し口の概略形状を示す正面図である。
【図１０】本発明の一実施形態にかかるヘアドライヤの内部構成を示すブロック図である。
【図１１】本発明の第２の実施形態にかかるヘアドライヤの外観構成を示す斜視図である。この図は、ヘアドライヤが拡散モードのときの状態を示す。
【図１２】本発明の第２の実施形態にかかるヘアドライヤの外観構成を示す斜視図である。この図は、ヘアドライヤが収束モードのときの状態を示す。
【図１３】第２の実施形態にかかるヘアドライヤの吹き出しノズルの内筒部の外観構成を示す斜視図である。
【図１４】本発明の第３の実施形態にかかるヘアドライヤの内部構成を示すブロック図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜第１の実施形態＞
本実施形態では、本発明の一実施形態にかかる吹き出しノズルが取り付けられたヘアドライヤ（毛髪乾燥機）を例に挙げて説明する。なお、実施形態では、吹き出しノズルは、ヘアドライヤの本体部と別部材であって、本体部の吹き出し口から取り外し可能に構成される。但し、本発明はこのような構成に限定はされない。例えば、本発明の別の態様として、ヘアドライヤと一体型の吹き出しノズルが挙げられる。
【００１６】
（ヘアドライヤの全体構成）
先ず、本実施の形態にかかるヘアドライヤ１の概略構成について、図１および図２を用いて説明する。本実施形態にかかるヘアドライヤ１では、吹き出しノズル３０の送風路の形状を、第１の形状および第２の形状という２つの形状に異ならせた状態で稼働させることができる。ここでは、吹き出しノズル３０が第１の形状のときの運転モードを拡散モードと呼び、吹き出しノズル３０が第２の形状のときの運転モードを収束モードと呼ぶ。なお、収束モードは、速乾モードとも呼ばれる。
【００１７】
図１は、ヘアドライヤ１が拡散モードのときの状態を示す。図２は、ヘアドライヤ１が収束モードのときの状態を示す。
【００１８】
図１に示すように、ヘアドライヤ１は、主として、本体部１０と、吹き出しノズル３０とで構成されている。吹き出しノズル３０は、本体部１０の風の吹き出し口１２に取り付けて使用される。図３には、吹き出しノズル３０を本体部１０から取り外した状態（吹き出しノズル３０単体の図）を示す。
【００１９】
本明細書では、ヘアドライヤ１の各構成要素の形状および位置関係などを説明するにあたって、便宜上、ヘアドライヤ１（並びに、本体部１０および吹き出しノズル３０）を図１および図２に示すようなＸ（Ｘ１−Ｘ２）方向（幅方向）、Ｙ（Ｙ１−Ｙ２）方向（上下方向）、Ｚ（Ｚ１−Ｚ２）方向（前後方向）という三方向の座標軸で規定する。
【００２０】
図１などに示すように、ヘアドライヤ１の外観形状は、使用時の状態で、側面視において略Ｔ字形状を有する。本体部１０の外形は、主として、プラスチックなどで形成された筐体で構成されている。筐体は、Ｚ方向に延びる本体部１０と、本体部１０から略Ｙ２方向に延びる持ち手部２０とで構成されている。なお、本実施形態では、持ち手部２０は、折り畳みできるようになっているが、折り畳みできない構造であってもよい。
【００２１】
Ｚ１−Ｚ２方向に延びる本体部１０の一方の端部（例えば、Ｚ２側の端部）には、空気の吸い込み口（図示せず）が設けられており、本体部１０の他方の端部（例えば、Ｚ１側の端部）には、風の吹き出し口１２が設けられている。
【００２２】
また、本体部１０の側面には、表示部７８が設けられている。表示部７８には、例えば、現在の運転モードなどが表示される。
【００２３】
持ち手部２０には、操作部２１が設けられている。ヘアドライヤ１の使用時に、ユーザが操作部２１を操作することで、ヘアドライヤ１が動作を開始したり停止したりする。また、操作部２１が操作されることで、吹き出し口１２から吹き出す風の種類（温風／冷風）および風量などが調節される。
【００２４】
持ち手部２０の下端部（Ｙ２方向の端部）には、電源コード２２が設けられている。
【００２５】
図１０には、ヘアドライヤ１の本体部１０の内部構成を示す。本体部１０には、制御部７１、ヒータ７２、ファン７３、イオン供給部（帯電粒子発生装置ともいう）７５、操作部２１、および表示部７８などが備えられている。
【００２６】
制御部７１は、操作部２１で操作された内容に応じて、ヒータ７２、ファン７３、駆動モータ（図示せず）、およびイオン供給部７５などの動作を制御する。また、制御部７１内には、ファン７３の駆動モータの電流値を検知する電流検知部７６が設けられている。
【００２７】
ファン７３は、駆動モータに連結されている。ヘアドライヤ１の稼働時、駆動モータの駆動力によってファン７３が回転する。これにより、ヘアドライヤ１の内部で、吸い込み口から吹き出し口１２へと向かう空気の流れが形成される。
【００２８】
ヒータ７２は、吸い込み口から本体部１０内へ取り込まれた空気を加熱する。ヘアドライヤ１の稼働時、ヒータ７２が稼働することで、ヘアドライヤ１の内部に取り込まれた空気が加熱され、吹き出し口１２から温風を送出させることができる。
【００２９】
イオン供給部７５は、吹き出し口１２の近傍に配置されている。
【００３０】
イオン供給部７５は、正（＋）イオン（例えば、Ｈ＋（Ｈ２Ｏ）ｍ（ｍは任意の自然数））および負（−）イオン（例えば、Ｏ２−（Ｈ２Ｏ）ｎ（ｎは任意の自然数））の少なくとも何れかを発生する。本体部１０にイオン供給部７５が備えられていることで、ヘアドライヤ１から吹き出す風にイオンを含有させることができる。ヘアドライヤ１から吹き出す風にイオンが含まれていることで、ヘアドライヤ１によって風が供給される頭皮のうるおいを保つなど、頭皮環境を整えることができる。また、ヘアドライヤ１によって風が供給される毛髪のうるおいをキープしたり、キューティクルを引き締めたりして毛髪のダメージを抑え、トリートメント効果を得ることができる。なお、本発明の別の態様にかかるヘアドライヤでは、イオン供給部が設けられていない構成とすることもできる。
【００３１】
操作部２１は、ユーザによって操作される。操作部２１における操作情報は、制御部７１へ送信される。
【００３２】
以上の構成により、本体部１０の吹き出し口１２から風を吹き出すことができる。本体部１０の吹き出し口１２を毛髪方向に向けることで、吹き出し口１２からの風を毛髪へ当てることができる。これにより、毛髪を乾燥させることができる。
【００３３】
本実施形態では、上記の構成を有する本体部１０の吹き出し口１２に吹き出しノズル３０が取り付けられる。本体部１０に吹き出しノズル３０を取り付けた状態でヘアドライヤ１を稼働させると、吹き出し口１２から吹き出される風は、吹き出しノズル３０を通過して、吹き出しノズル３０の先端部からユーザの頭部およびその近傍へ導かれる。
【００３４】
吹き出しノズル３０は、主として、内筒部３１と、外筒部３２とで構成される。内筒部３１は、内部に送風路を有する。外筒部３２は、内筒部３１の外周を覆うように設けられている。つまり、吹き出しノズル３０は、内筒部３１と外筒部３２との二重構造を有している。
【００３５】
内筒部３１と、外筒部３２とは、相対回転可能な構成となっている。本実施形態では、内筒部３１は、ヘアドライヤ１の本体部１０の吹き出し口１２に固定された状態で接続される。そして、外筒部３２が、内筒部３１に対して回転可能に構成される。
【００３６】
後述するように、内筒部３１に対して外筒部３２を回転させることで、吹き出しノズル３０の送風路の形状が、第１の形状（拡散モード）と第２の形状（収束モード）との間で変更される。
【００３７】
なお、本発明の別の態様では、外筒部３２を本体部１０の吹き出し口１２に固定し、内筒部３１を外筒部３２に対して回転可能に構成することもできる。
【００３８】
（吹き出しノズルの構成）
続いて、吹き出しノズル３０のより具体的な構成について説明する。図３および図５には、吹き出しノズル３０の外観構成を示す。図３は、ヘアドライヤ１が拡散モードのときの吹き出しノズル３０の状態を示し、図５は、ヘアドライヤ１が収束モードのときの吹き出しノズル３０の状態を示す。
【００３９】
図４には、図３に示す吹き出しノズル３０の幅方向（Ｘ方向）断面構成（言い換えれば、ＸＺ平面で切断した場合の断面構成）を示す。図４は、Ｙ２側からＹ１側を見た際の断面を示す図である。図６には、図５に示す吹き出しノズル３０の上下方向（Ｙ方向）断面構成（言い換えれば、ＹＺ平面で切断した場合の断面構成）を示す。図６は、Ｘ２側からＸ１側を見た際の断面を示す図である。図４および図６は、外筒部３２の最も幅広の部分（張り出し部５１ａおよび５１ｂの頂部）における切断面を示す図である。
【００４０】
図７には、内筒部３１単体での外観構成を示す。内筒部３１は、主として、取り付け部４１と、風路形成部４２と、整流部材４４とを有している。
【００４１】
取り付け部４１は、吹き出しノズル３０の後端部側（Ｚ２側）に位置し、略円筒形状を有している。取り付け部４１が本体部１０の吹き出し口１２に対して取り付けられることで、吹き出しノズル３０は本体部１０に対して接続される。
【００４２】
風路形成部４２は、取り付け部４１から先端部側（Ｚ１側）へ延びる壁状の部材である。本実施形態では、風路形成部４２は、取り付け部４１から先端部側へ延びる２つの壁状の部材で構成される。２つの壁状の部材は、互いに対向するように配置されている。そして、２つの壁状の部材の間には、切り欠き部（切り欠き）４３がそれぞれ形成されている。一方の切り欠き部４３は、他方の切り欠き部４３と対向するように位置している。
【００４３】
後述するように、吹き出しノズル３０の送風路の形状が第１の形状のとき（すなわち、拡散モードのとき）、本体部１０の吹き出し口１２からの風は、内筒部３１内の送風路から切り欠き部４３を通って外筒部３２の張り出し部５１ａ・５１ｂへ流れる。切り欠き部４３の代わりに、風路形成部４２を円筒形状として、円筒形の壁に開口部を形成してもよい。このような形状も、切り欠きの一例である。
【００４４】
整流部材４４は、風路形成部４２を形成する２つの壁状の部材同士を橋渡しするように形成されている。本実施形態では、２つの板状の部材を断面が略Ｘ字状になるように組み合わせて形成されている。
【００４５】
内筒部３１内の送風路に整流部材４４が設けられていない状態では、内筒部３１内を通過する空気は、内筒部３１の内側の側壁に沿って流れやすい。そのため、内筒部３１内を流れる風の風速は、送風路の中央部分と比較して側壁付近の方が大きくなる。これにより、内筒部３１から吹き出す風は、断面円形状の吹き出し口から外側へ広がりやすくなる。
【００４６】
一方、内筒部３１内に整流部材４４が設けられていると、内筒部３１内の送風路の中央部分にも（整流部材４４によって）壁面が形成される。そして、内筒部３１内に送り込まれた空気は、内筒部３１の側壁以外の壁面（例えば、送風路の中央部分の壁面）にも沿うようにして流れる。したがって、整流部材４４が設けられていることで、送風路内を通過する風が吹き出し口から広がるように流れることが抑制される。すなわち、送風路内を通過する風を、吹き出し口の方向に沿って均一に吹き出すことができる。
【００４７】
なお、本実施形態では、整流部材４４は、断面が略Ｘ字状の形状を有しているが、整流部材の形状はこれに限定はされない。例えば、板状（断面が略Ｉ字状）の整流部材、またはらせん状にねじれた板状の整流部材を設けることもできる。
【００４８】
外筒部３２は、風路形成部４２および切り欠き部４３の外周を覆うように取り付けられる。外筒部３２は、主として、２つの張り出し部５１ａおよび５１ｂと、中央部５２とで構成されている。なお、内筒部３１を覆うように外筒部３２を取り付けた状態で、外筒部３２の後端側（Ｚ２側）の端面は、内筒部３１の取付部４１の先端側（Ｚ１側）の端面に当接している（図４および図６など参照）。これにより、内筒部３１が本体部１０の吹き出し口１２に固定された状態で、外筒部３２を回転させることができる。
【００４９】
張り出し部５１ａおよび５１ｂは、外筒部３２の後端部側（Ｚ２側）から先端部側（Ｚ１側）へ向けて、送風路の内径を部分的に拡張させるように形成されている。張り出し部５１ａと張り出し部５１ｂとは、中央部５２を間に挟んで互いに対向する位置に配置されている。言い換えると、張り出し部５１ａが、中央部５２の径の中心から０度の方向に延びていると仮定すると、張り出し部５１ｂは、中央部５２の径の中心から１８０度の方向に延びているといえる。
【００５０】
中央部５２は、概略的には円筒形状を有している。図３に示すように、拡散モードのときには、中央部５２の内側表面は、内筒部３１の風路形成部４２の外側表面と重なるような位置関係となっている。また、内筒部３１の切り欠き部４３は、張り出し部５１ａおよび５１ｂと対応する位置に配置される。これにより、本体部１０の吹き出し口１２から内筒部３１内の送風路に流入した風は、切り欠き部４３から張り出し部５１ａおよび５１ｂに流入する。
【００５１】
また、図５に示すように、収束モードのときには、中央部５２の内側表面は、内筒部３１の切り欠き部４３と対応するように位置する。これにより、切り欠き部４３は、中央部５２の側面部によって覆われる。つまり、張り出し部５１ａおよび５１ｂへの送風経路となる切り欠き部４３が、中央部５２の側面によって塞がれる。また、張り出し部５１ａおよび５１ｂは、風路形成部４２によって塞がれた状態となる。
【００５２】
（各運転モードのときの送風路の形状について）
続いて、ヘアドライヤ１が拡散モードのとき、およびヘアドライヤ１が収束モードのときのそれぞれの場合の吹き出しノズル３０の送風路の詳しい形状について、以下に説明する。
【００５３】
図８には、ヘアドライヤ１が拡散モードのときの吹き出しノズル３０の吹き出し口の形状を示す。なお、図８では、拡散モードのときの吹き出口の概略面積を表すために、吹き出し口に網掛けを付して示している。図９には、ヘアドライヤ１が収束モードのときの吹き出しノズル３０の吹き出し口の形状を示す。なお、図９では、収束モードのときの吹き出口の概略面積を表すために、吹き出し口に網掛けを付して示している。なお、厳密には、図８および図９において、内筒部３２の各構成部材は吹き出し面積から除かれる。
【００５４】
図８に示すように、拡散モードは、収束モードに比べて、吹き出しノズル３０の吹き出し口の面積が広くなっている。特に、本実施形態では、拡散モードのときの吹き出しノズル３０の吹き出し口は、幅方向（Ｘ１−Ｘ２方向）に長く延びる形状となっている（図８参照）。そのため、ヘアドライヤ１が拡散モードの状態では、風速が比較的小さく緩やかな風を、ヘアドライヤ１の幅方向に広範囲にわたって吹き出すことができる。
【００５５】
また、ヘアドライヤ１が拡散モードの状態では、ユーザが感じる風の温度は、収束モードのときと比較して、低く感じる。これは、拡散モードのときには、収束モードのときと比較して、温風（熱）が広範囲に広がることに起因する。そのため、拡散モードは、毛髪および頭皮などの施術対象箇所に比較的近い位置で使用される場合に適している。
【００５６】
一方、収束モードでは、図９に示すように、ヘアドライヤ１の上下方向（Ｙ１−Ｙ２方向）に位置する張り出し部５１ａ・５１ｂから風が吹き出すことはない。すなわち、収束モードでは、吹き出しノズル３０の中央の略円形の部分からのみ、風が吹き出す（図９参照）。
【００５７】
このように、収束モードでは、拡散モードに比べて、吹き出しノズル３０の吹き出し口の面積が小さくなっている。そのため、ヘアドライヤ１が収束モード状態では、風速が比較的大きく強い風を、限られた範囲に集中して吹き出すことができる。また、収束モードでは、張り出し部５１ａおよび５１ｂへの送風経路となる切り欠き部４３が、中央部５２の側面によって塞がれる。このとき、外筒部３２に関しては、張り出し部５１ａおよび５１ｂが、風路形成部４２によって塞がれた状態となる。そのため、張り出し部５１ａおよび５１ｂへの空気の漏れを低減させることができ、収束モード時の風圧の低下を抑えることができる。
【００５８】
以上のことから、拡散モードは、毛髪のスタイリング時や毛髪乾燥時の仕上げ時などに好適に選択される。また、収束モードは、濡れた髪を短時間で乾燥させるときなどに好適に選択される。このことから、収束モードは、速乾モードとも呼ばれる。
【００５９】
また、図４には、拡散モードのときの吹き出しノズル３０の断面構成を示す。上述したように、ヘアドライヤ１が拡散モードのとき、吹き出しノズル３０の内部では、内筒部３１の切り欠き部４３が、張り出し部５１ａおよび５１ｂと対応する位置に存在する。これにより、本体部１０の吹き出し口１２から内筒部３１内の送風路に流入した風は、図４中矢印で示すように、切り欠き部４３から張り出し部５１ａおよび５１ｂに流入する。このようにして、拡散モードのときには、ヘアドライヤ１の幅方向（Ｘ１−Ｘ２方向）に延びる両張り出し部５１ａおよび５１ｂから、風が吹き出される（図１中の矢印参照）。これにより、ヘアドライヤ１に対して水平方向に広がるような風が吹き出される。
【００６０】
なお、内筒部３１の内部には、整流部材４４が設けられているため、吹き出し口の中央部分は、整流部材４４によって送風路が複数に分かれている。そのため、吹き出し口の中央部分からは、空気の流れが４つに分割されて吹き出される（図１中の矢印参照）。
【００６１】
内筒部３１内に整流部材４４が設けられていると、内筒部３１内の送風路の中央部分にも（整流部材４４によって）壁面が形成される。そして、内筒部３１内に送り込まれた空気は、内筒部３１の側壁以外の壁面（例えば、送風路の中央部分の壁面）にも沿うようにして流れる。したがって、整流部材４４が設けられていることで、送風路内を通過する風が側壁の方へ集中して流れることが抑制される。これにより、送風路内を通過する風を、吹き出し口の方向に沿って均一に吹き出すことができる。
【００６２】
また、吹き出しノズル３０内の送風路の壁面は、内筒部３１の内側表面と外筒部３２の内側表面とで形成される。特に、拡散モードのときには、内筒部３１の取り付け部４１の内側表面４１ａと、外筒部３２の張り出し部５１ａおよび５１ｂの内側表面３２ａとによって、ヘアドライヤ１の幅方向（Ｘ１−Ｘ２方向）に延びる送風路の壁面が形成される（図４参照）。
【００６３】
そして、図４のＡの部分に示すように、内筒部３１の内側表面４１ａと、外筒部３２の内側表面３２ａとの境界部分が、略面一になるように構成されている。言い換えると、内筒部３１の内側表面４１ａと外筒部３２の内側表面３２ａとによって、略滑らかな送風路の壁面が形成されている。またあるいは、内筒部３１の内側表面４１ａと外筒部３２の内側表面３２ａとが、滑らかに連結しているということもできる。これにより、ヘアドライヤ１が拡散モードのときに、内筒部３１から外筒部３２の張り出し部５１ａおよび５１ｂへ流れる風の損失を低減させることができる。
【００６４】
また、図６には、収束モードのときの吹き出しノズル３０の断面構成を示す。上述したように、ヘアドライヤ１が収束モードのとき、吹き出しノズル３０の内部では、内筒部３１の風路形成部４２が、張り出し部５１ａおよび５１ｂと対応する位置に存在する。これにより、本体部１０の吹き出し口１２から内筒部３１内の送風路に流入した風は、図５中矢印で示すように、張り出し部５１ａおよび５１ｂに流入することなく、前方側（Ｚ１方向側）へ流れて吹き出し口から外へ吹き出される。このようにして、収束モードのときには、外筒部３２の中央部５２の吹き出し口のみから風が吹き出される（図２中の矢印参照）。これにより、ヘアドライヤ１の吹き出し口の中央部分から集中的に風が吹き出される。
【００６５】
なお、拡散モードのときと同様に、収束モードのときにも、吹き出し口からは、空気の流れが整流部材４４によって４つに分割されて吹き出される（図２中の矢印参照）。整流部材４４が設けられていることで、送風路内を通過する風が側壁の方へ集中して流れることが抑制される。これにより、送風路内を通過する風を、吹き出し口の方向に沿って（より送風路の中央部分に収束させた状態で）均一に吹き出すことができる。
【００６６】
また、図３および図５などに示すように、本実施形態にかかる吹き出しノズル３０では、拡散モードおよび収束モードの両方の状態において、内筒部３１の先端部と、外筒部３２の先端部とが、略同じ高さ（前後方向において略同じ位置）にある。この構成により、吹き出しノズル３０の先端の吹き出し面を略平坦な形状とすることができる。したがって、吹き出しノズル３０の吹き出し口から送出される風の流れの損失を低減することができる。なお、製品仕様上の観点から、外筒部３２の内側に位置する内筒部３１の先端部の方が、外筒部３２の先端部よりもわずかに後端側（Ｚ２側に）に凹んでいてもよい。
【００６７】
（各運転モードの表示方法について）
本実施形態にかかるヘアドライヤ１は、吹き出しノズル３０を本体部１０の吹き出し口１２に取り付けた状態で、外筒部３２を回転させることによって、拡散モードから収束モードへ、または収束モードから拡散モードへの切り換えを行うことができる。そして、本体部１０の側面に設けられた表示部７８に、現在の運転モードを表示することもできる。以下では、表示部７８において、現在の運転モードを表示する方法について説明する。
【００６８】
本実施形態では、制御部７１内の電流検知部７６で検知したファン７３の駆動モータの電流値に基づいて、現在の運転モードが検知される。すなわち、電流検知部７６は、吹き出しノズル３０が拡散モードの状態であるか、収束モードの状態であるかを検知する検知部として機能する。
【００６９】
吹き出しノズル３０が拡散モードのときには、吹き出し口の面積は、収束モードのときと比較して大きくなる。このとき、ファン７３の駆動モータの電流値は、収束モードのときと比較して高くなる。そのため、電流検知部７６では、所定の電流値を閾値として予め設定しておき、検知された駆動モータの電流値が当該閾値を下回った場合には、現在の運転モードを収束モードと判定する。一方、電流検知部７６では、検知された駆動モータの電流値が当該閾値以上となった場合には、現在の運転モードを拡散モードと判定する。
【００７０】
電流検知部７６によって判定された現在の運転モードに関する情報は、表示部７８へ送信される。表示部７８は、ヘアドライヤ１の稼働中、電流検知部７６から送信された情報にしたがって現在の運転モードを表示する。
【００７１】
（第１の実施形態のまとめ）
以上のように、本実施形態にかかるヘアドライヤ１は、本体部１０と吹き出しノズル３０とを備えている。吹き出しノズル３０は、内部に送風路を有する内筒部３１と、内筒部３１の外周を覆うように設けられた外筒部３２とを備えている。外筒部３２は、送風路の内径を部分的に拡張させる張り出し部５１ａおよび５１ｂを有している。この吹き出しノズル３０において、内筒部３１の先端部（Ｚ１側の端部）と、外筒部３２の先端部（Ｚ１側の端部）とは、前後方向（Ｚ１−Ｚ２方向）において略同じ位置にある。
【００７２】
この構成によれば、吹き出しノズル３０の先端の吹き出し面を略平坦な形状とすることができる。したがって、吹き出しノズル３０の吹き出し口から送出される風の流れの損失を低減することができる。また、収束モードにおいて、吹き出し口を先端部まで伸ばすことができるので、より収束した風を送出できる。
【００７３】
また、吹き出しノズル３０では、内筒部３１を本体部１０に固定させた状態で、外筒部３２を回転させて、送風路の形状を第１の形状（拡散モード）と第２の形状（収束モード）との間で変更可能に構成されている。この構成によれば、吹き出しノズルの付け替えを行うことなく、拡散モードと収束モードとの切り換えを行うことができる。
【００７４】
また、吹き出しノズル３０の送風路の形状が第１の形状（拡散モード）のときには、本体部１０の吹き出し口１２から内筒部３１内の送風路に流入した風は、切り欠き部４３から張り出し部５１ａおよび５１ｂに流入する。このようにして、拡散モードのときには、ヘアドライヤ１の幅方向（Ｘ１−Ｘ２方向）に延びる両張り出し部５１ａおよび５１ｂから、風が吹き出される（図１中の矢印参照）。これにより、ヘアドライヤ１に対して水平方向に広がるような風が吹き出される。
【００７５】
このように本実施形態によれば、第１の形状（拡散モード）のときの吹き出し口の形状を、ヘアドライヤ１の幅方向（Ｘ１−Ｘ２方向）に拡張させて、毛髪のスタイリングにより適した拡散モードの形状を有するヘアドライヤの吹き出しノズルが得られる。
【００７６】
また、吹き出しノズル３０の送風路の形状が第２の形状（収束モード）のときには、ヘアドライヤ１の上下方向（Ｙ１−Ｙ２方向）に位置する張り出し部５１ａ・５１ｂから風が吹き出すことはない。すなわち、収束モードでは、吹き出しノズル３０の中央の略円形の部分からのみ、風が吹き出す（図２中の矢印参照）。
【００７７】
このように、収束モードでは、拡散モードに比べて、吹き出しノズル３０の吹き出し口の面積が小さくなっている。そのため、ヘアドライヤ１が収束モード状態では、風速が比較的速く強い風を、限られた範囲に集中して吹き出すことができる。そのため、収束モードのときの吹き出しノズル３０の送風路の形状を、短時間で毛髪を乾かしたい場合に好適な形状とすることできる。
【００７８】
＜第２の実施形態＞
続いて、本発明の第２の実施形態について説明する。第２の実施形態では、吹き出しノズル１３０の内筒部１３１の構成が第１の実施形態とは異なっている。それ以外の構成については、第１の実施形態と同様の構成を適用することができる。そこで、以下では、第１の実施形態とは異なる構成を中心に説明する。
【００７９】
図１１および図１２には、第２の実施形態にかかるヘアドライヤ１０１の外観を示す。図１１は、ヘアドライヤ１０１が拡散モードのときの状態を示す。図１２は、ヘアドライヤ１０１が収束モードのときの状態を示す。
【００８０】
図１１に示すように、ヘアドライヤ１０１は、主として、本体部１０と、吹き出しノズル１３０とで構成されている。本体部１０は、第１の実施形態と同様の構成が適用できる。
【００８１】
吹き出しノズル１３０は、本体部１０の風の吹き出し口１２に取り付けて使用される。吹き出しノズル１３０は、主として、内筒部１３１と、外筒部３２とで構成される。内筒部１３１は、内部に送風路を有する。外筒部３２は、内筒部１３１の外周を覆うように設けられている。つまり、吹き出しノズル１３０は、内筒部１３１と外筒部３２との二重構造を有している。外筒部３２は、第１の実施形態と同様の構成が適用できる。
【００８２】
図１３には、内筒部１３１単体での外観構成を示す。内筒部１３１は、主として、取り付け部４１と、風路形成部４２とを有している。取り付け部４１は、第１の実施形態と同様の構成が適用できる。
【００８３】
風路形成部４２は、取り付け部４１から先端部側へ延びる２つの壁状の部材で構成される。２つの壁状の部材は、互いに対向するように配置されている。そして、２つの壁状の部材の間には、切り欠き部（切り欠き）４３がそれぞれ形成されている。一方の切り欠き部４３は、他方の切り欠き部４３と対向するように位置している。
【００８４】
第１の実施形態で説明した内筒部３１と比較すればわかるように、本実施形態の内筒部１３１には、整流部材が設けられていない。それ以外の構成については、第１の実施形態の内筒部３１と同様の構成が適用できる。
【００８５】
本実施形態にかかるヘアドライヤ１０１は、吹き出しノズル１３０を本体部１０の吹き出し口１２に取り付けた状態で、外筒部３２を回転させることによって、拡散モードから収束モードへ、または収束モードから拡散モードへの切り換えを行うことができる。
【００８６】
そして、第１の実施形態と同様に、拡散モードのときには、ヘアドライヤ１０１の幅方向（Ｘ１−Ｙ１方向）に吹き出し口が拡がった状態で、風速が比較的小さく緩やかな風を吹き出すことができる。また、収束モードのときには、風速が比較的大きく強い風を、限られた範囲に集中して吹き出すことができる。このように、本実施形態にかかるヘアドライヤ１０１によれば、各運転モードの使用用途に適した風を吹き出すことができる。
【００８７】
＜第３の実施形態＞
続いて、本発明の第３の実施形態について説明する。第３の実施形態では、本体部２１０が現在の運転モードを検知する方法が第１の実施形態とは異なっている。それ以外の構成については、第１の実施形態と同様の構成を適用することができる。そこで、以下では、第１の実施形態とは異なる構成を中心に説明する。
【００８８】
図１４には、第３の実施形態にかかるヘアドライヤ２０１の内部構成を示す。ヘアドライヤ２０１は、主として、本体部２１０と、吹き出しノズル２３０とで構成されている。吹き出しノズル２３０は、本体部２１０の風の吹き出し口１２に取り付けて使用される。本体部２１０の外観構成は、図１に示す本体部１０と略同様である。
【００８９】
吹き出しノズル２３０は、主として、内筒部３１と、外筒部３２とで構成される。吹き出しノズル２３０の形状は、図３および図５に示す吹き出しノズル３０の形状、又は図１２の吹き出しノズル１３０と略同様である。
【００９０】
但し、吹き出しノズル２３０には、本体部２１０側へ現在の運転モード（すなわち、現在の吹き出しノズル２３０の形状）を知らせるためのモード選択スイッチ２３３が備えられている（図１４参照）。モード選択スイッチ２３３は、例えば、外筒部３２の後端部側（Ｚ２側）に設けられている。図１４に示す例では、モード選択スイッチ２３３は、拡散モードのときにＯＮ状態となり、収束モードのときにＯＦＦ状態となるように構成される。また、別の例では、モード選択スイッチ２３３は、拡散モードのときにＯＦＦ状態となり、収束モードのときにＯＮ状態となるように構成される。
【００９１】
また、図１４に示すように、本体部２１０には、制御部７１、ヒータ７２、ファン７３、イオン供給部（帯電粒子発生装置ともいう）７５、操作部２１、表示部７８、およびスイッチ検知部２７４などが備えられている。
【００９２】
制御部７１は、操作部２１で操作された内容に応じて、ヒータ７２、ファン７３、およびイオン供給部７５などの動作を制御する。また、制御部７１内には、現在の運転モードを判定するためのモード判定部２７６が備えられている。
【００９３】
ヒータ７２、ファン７３、イオン供給部（帯電粒子発生装置ともいう）７５、操作部２１、および表示部７８については、第１の実施形態と同様の構成が適用できる。
【００９４】
スイッチ検知部２７４は、吹き出しノズル２３０に設けられたモード選択スイッチ２３３がＯＮ状態であるかＯＦＦ状態であるかを検知する。スイッチ検知部２７４が検知した情報は、制御部７１内のモード判定部２７６へ送信される。
【００９５】
モード判定部２７６は、スイッチ検知部２７４から送信された情報に基づいて、現在の運転モードを判定する。モード判定部２７６によって判定された現在の運転モードに関する情報は、表示部７８へ送信される。表示部７８は、ヘアドライヤ１の稼働中、モード判定部２７６から送信された情報にしたがって現在の運転モードを表示する。
【００９６】
以上のように、本実施形態にかかるヘアドライヤ２０１では、スイッチ検知部２７４が、吹き出しノズル２３０の形状（すなわち、拡散モードの状態であるか、収束モードの状態であるか）を検知する検知部として機能する。この構成によれば、ヘアドライヤ２０１の稼働中、本体部２１０の側面に配置されている表示部７８に現在の運転モードを表示することができる。ヘアドライヤ２０１のユーザは、例えば、鏡などに本体部２１０の側面を映す等して、現在の運転モードを確認することができる。
【００９７】
なお、変形例として、本体部２１０側にスイッチを設け、吹き出しノズル２３０側に凸部を設ける構成も可能である。この構成では、モード判定部２７６は、例えば、スイッチに凸部が接触しスイッチがＯＮ状態のときに拡散モードと判定し、スイッチに凸部が非接触でスイッチがＯＦＦ状態のときに収束モードと判定することができる。またあるいは、モード判定部２７６は、スイッチに凸部が接触しスイッチがＯＮ状態のときに収束モードと判定し、スイッチに凸部が非接触でスイッチがＯＦＦ状態のときに拡散モードと判定することができる。
【００９８】
＜第４の実施形態＞
続いて、本発明の第４の実施形態について説明する。上述した第１から第３の実施形態では、吹き出しノズルの形状を、第１の形状（拡散モード）と第２の形状（収束モード）という２種類の間で切り換え可能な構成について説明した。しかし、本発明の一態様では、吹き出しノズルの形状を、３種類以上の異なる形状に変更可能に構成することもできる。
【００９９】
例えば、第４の実施形態では、内筒部３１に対する外筒部３２の回転角度を、水平方向（Ｘ方向）を基準（０度）として、例えば、約３０度、約６０度、および約９０度の各回転角度でそれぞれ固定可能に構成することができる。より具体的には、外筒部３２の回転方向に沿って、内筒部３１および外筒部３２の何れか一方に複数個の凸部を設け、他方に凹部を設ける。何れか一つの凸部と何れか一つの凹部とが係合することで、外筒部３２を所定の回転角度に位置決めした状態で固定することができる。なお、外筒部３２を固定し、内筒部３１を回転させる構成とすることも可能である。
【０１００】
この構成によれば、吹き出しノズルの吹き出し口の形状を、第１の形状および第２の形状以外の形状に変更させることができる。そのため、吹き出しノズルからの風量を２段階以上の複数段階に調整することができる。
【０１０１】
（まとめ）
本発明の一局面は、ヘアドライヤの吹き出しノズル（例えば、吹き出しノズル３０・１３０・２３０）に関する。吹き出しノズルは、内部に送風路を有する内筒部（例えば、内筒部３１・１３１）と、前記内筒部の外周を覆うように設けられた外筒部（例えば、外筒部３２）とを備えている。前記外筒部は、前記送風路の内径を部分的に拡張させる張り出し部（例えば、張り出し部５１ａおよび５１ｂ）を有している。前記吹き出しノズルにおいて、前記内筒部の先端部と、前記外筒部の先端部とは、前後方向（Ｚ１−Ｚ２方向）において略同じ位置にある。また、前記吹き出しノズルでは、前記内筒部および前記外筒部の少なくとも何れかを回転させて、前記送風路の形状を、前記張り出し部が幅方向（Ｘ１−Ｘ２方向）に位置する第１の形状（拡散モード）と、前記張り出し部が上下方向（Ｙ１−Ｙ２方向）に位置する第２の形状（収束モード）との間で変更可能に構成されている。
【０１０２】
上記の本発明の一局面にかかる吹き出しノズルにおいて、前記内筒部は、互いに対向する位置に少なくとも２つの切り欠き（例えば、切り欠き部４３）を有していてもよい。そして、前記送風路の形状が前記第１の形状のときに、前記切り欠きは前記張り出し部に対応する位置に配置され、前記内筒部の内側表面と前記張り出し部の内側表面とが、互いに略面一となっていてもよい。
【０１０３】
この構成によれば、送風路の形状が第１の形状（拡散モード）のときに、内筒部から外筒部の張り出し部への風の流れを円滑にすることができる。これにより、内筒部から張り出し部へ流れる風の損失を低減させることができる。
【０１０４】
上記の本発明の一局面にかかる吹き出しノズルにおいて、前記送風路の形状が前記第２の形状のときに、前記張り出し部から風が吹き出さないように構成されていてもよい。この構成によれば、送風路の形状が第２の形状（収束モード）のときに、送風路が幅方向（Ｘ１−Ｘ２方向）へ拡張することを抑制し、吹き出しノズルの中央部分に風を集中させることができる。
【０１０５】
上記の本発明の一局面にかかる吹き出しノズルにおいて、前記内筒部に、内部を通過する風を整流する整流部材（例えば、整流部材４４）が設けられていてもよい。この構成によれば、送風路内を通過する風が送風路の側壁の方へ集中して流れることが抑制され、吹き出し口の方向に沿って均一に風を吹き出すことができる。
【０１０６】
また、本発明の別の一局面は、ヘアドライヤの吹き出しノズル（例えば、吹き出しノズル３０・１３０・２３０）に関する。吹き出しノズルは、内部に送風路を有する内筒部（例えば、内筒部３１・１３１）と、前記内筒部の外周を覆うように設けられた外筒部（例えば、外筒部３２）とを備えている。前記外筒部は、前記送風路の内径を部分的に拡張させる張り出し部（例えば、張り出し部５１ａおよび５１ｂ）を有している。前記吹き出しノズルでは、前記内筒部および前記外筒部の少なくとも何れかを回転させて、前記送風路の形状を、前記張り出し部が幅方向（Ｘ１−Ｘ２方向）に位置する第１の形状（拡散モード）と、前記張り出し部が上下方向（Ｙ１−Ｙ２方向）に位置する第２の形状（収束モード）との間で変更可能に構成されている。また、前記吹き出しノズルでは、前記送風路の形状が前記第１の形状のときに、前記内筒部の内側表面と前記張り出し部の内側表面とが、互いに略面一となっている。
【０１０７】
この構成によれば、送風路の形状が第１の形状（拡散モード）のときに、内筒部から外筒部の張り出し部への風の流れを円滑にすることができる。これにより、内筒部から張り出し部へ流れる風の損失を低減させることができる。
【０１０８】
また、本発明のさらに別の一局面は、ヘアドライヤ（例えば、ヘアドライヤ１・１０１・２０１）に関する。このヘアドライヤは、上述の本発明の何れかの局面にかかる吹き出しノズル（例えば、吹き出しノズル３０・１３０・２３０）を備えている。
【０１０９】
上記の本発明の一局面にかかるヘアドライヤにおいて、前記内筒部は、前記ヘアドライヤの吹き出し口（例えば、吹き出し口１２）に対して固定されていてもよい。すなわち、前記内筒部は、ヘアドライヤの吹き出し口に対して回転不可能な状態で取り付けられていてもよい。
【０１１０】
この構成によれば、内筒部に対して外筒部を回転させることで、吹き出しノズルの形状を第１の形状（拡散モード）と第２の形状（収束モード）との間で変更させることができる。
【０１１１】
なお、変形例として、外筒部を内筒部に対して回転可能にしつつ、内筒部を吹き出し口に対して回動可能な構成としてもよい。このような構成としては、例えば、外筒部を、拡散モードと収束モードとの間（モード切替範囲）で回転させる場合には、内筒部は回動せず、外筒部を上記のモード切替範囲を超えて回転させようとした場合に、内筒部が外筒部の回転に追従して回動する構造が考えられる。この構成では、拡散モードと収束モードとを切り替える際には、上記のモード切替範囲内であるため、内筒部が回動しない。そのため、使用性を損なわずに、ユーザは、吹き出しノズル３０の取付位置の微調整を行うことができる。
【０１１２】
また、さらに別の態様では、外筒部を本体部の吹き出し口に固定し、内筒部を外筒部に対して回転可能に構成することもできる。この場合、外筒部の外周面に内筒部を回転移動させるための内筒操作部を設けると、内筒部を容易に回転させることができる。例えば、外筒部の外周面に円周方向に延びる開口部を回転角度で９０度程度設ける。その開口部を通して、内筒部と内筒操作部とを連結する。これにより、内筒操作部を回転方向に移動させることで、内筒部を回転させることができる。このとき、外筒部は、ヘアドライヤの本体部の吹き出し口に固定された状態で接続されている。
【０１１３】
上記の本発明の一局面にかかるヘアドライヤは、前記送風路の形状が前記第１の形状であるか、前記第２の形状であるかを検知する検知部（例えば、電流検知部７６、またはスイッチ検知部２７４）と、前記検知部による検知結果を表示する表示部（例えば、表示部７８）とをさらに備えていてもよい。
【０１１４】
この構成によれば、ヘアドライヤのユーザは、表示部を見ることで、現在の運転モードを知ることができる。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１６】
１      ：ヘアドライヤ
１０    ：本体部
１２    ：（本体部の）吹き出し口
２０    ：持ち手部
２１    ：操作部
３０    ：吹き出しノズル
３１    ：内筒部
３２    ：外筒部
３２ａ  ：（外筒部の張り出し部の）内側表面
４１ａ  ：（内筒部の取り付け部）内側表面
４２    ：風路形成部
４３    ：切り欠き部（切り欠き）
４４    ：整流部材
５１ａ  ：張り出し部
５１ｂ  ：張り出し部
７６    ：電流検知部（検知部）
７８    ：表示部
１０１  ：ヘアドライヤ
１３０  :吹き出しノズル
１３１  ：内筒部
２０１  ：ヘアドライヤ
２１０  ：本体部
２３０  ：吹き出しノズル
２３３  ：モード選択スイッチ
２７４  ：スイッチ検知部（検知部）
２７６  ：モード判定部
【図１】
2019126412.tif 000003
【図２】
2019126412.tif 000004
【図３】
2019126412.tif 000005
【図４】
2019126412.tif 000006
【図５】
2019126412.tif 000007
【図６】
2019126412.tif 000008
【図７】
2019126412.tif 000009
【図８】
2019126412.tif 000010
【図９】
2019126412.tif 000011
【図１０】
2019126412.tif 000012
【図１１】
2019126412.tif 000013
【図１２】
2019126412.tif 000014
【図１３】
2019126412.tif 000015
【図１４】
2019126412.tif 000016